(57)【要約】【課題】位置決め部材に上下方向への揺動を許容する内部空間を設けずとも、雄ねじ部分を軸本体から容易に切り離すことが出来る型枠用セパレータを提供する。【解決手段】軸本体の長さ方向両端に雄ねじ部を備えた軸体と、この軸体の長さ方向両端部にそれぞれ装着される位置決め部材とからなる型枠用セパレータであって、前記雄ねじ部の長さ方向一端部には、前記位置決め部材装填部と、軸本体に対する雄ねじ部の軸心を支点とする回転操作により雄ねじ部を軸本体から切り離すための捻じ切り溝が設けられるとともに、前記軸本体には、この軸本体の軸心を支点としてコンクリート製構造物内に埋設された軸本体の回転を阻止するための回転阻止手段が設けられ、また前記位置決め部材はモルタルを圧縮処理して形成されたブロック体から構成され、このブロック体には、前記軸体の挿通孔が設けられた。【選択図】図１
2010163857.tif 000002
【特許請求の範囲】
【請求項１】
軸本体の長さ方向両端に雄ねじ部を備えた軸体と、この軸体の長さ方向両端部にそれぞれ装着される位置決め部材とからなる型枠用セパレータであって、前記雄ねじ部の長さ方向一端部には、前記位置決め部材装填部と、軸本体に対する雄ねじ部の軸心を支点とする回転操作により雄ねじ部を軸本体から切り離すための捻じ切り溝が設けられるとともに、前記軸本体には、この軸本体の軸心を支点としてコンクリート製構造物内に埋設された軸本体の回転を阻止するための回転阻止手段が設けられていることを特徴とする型枠用セパレータ。
【請求項２】
前記位置決め部材装填部に対する前記位置決め部材の装填位置を規制するための位置規制手段が設けられていることを特徴とする請求項１に記載の型枠用セパレータ。
【請求項３】
前記位置決め部材がモルタルを圧縮処理して形成されたブロック体から構成され、このブロック体には、前記軸体の挿通孔が設けられていることを特徴とする請求項１または２に記載の型枠用セパレータ。
【請求項４】
前記位置決め部材が、軸体が挿通可能な筒部と、この筒部の一端から径方向外方に突出するフランジ部とから構成され、前記筒部を前記軸体の前記装填部に固着していることを特徴とする請求項１に記載の型枠用セパレータ。
【発明の詳細な説明】
【技術分野】
【０００１】
本発明は、コンクリート製構造物作成のための型枠を組み立てる際、型枠内部を一定の間隔に保持するために用いられる型枠用セパレータに関する。
【背景技術】
【０００２】
一般にコンクリート製構造物を構築する際には、流動体であるモルタルを目的の形状に硬化させるために、鋼板や合板等から構成される一対のコンクリート用型枠と、このコンクリート用型枠の内部空間を所定寸法に維持するための型枠用セパレータが用いられる。
【０００３】
ところで従来の型枠用セパレータは、基本的には、図１５において概略的に示すように、ロッド状の軸体Ａと、この軸体Ａの長さ方向両端部に設けられる碗型の一対の位置決め部材Ｂとから構成されている。
【０００４】
そして前述の軸体Ａの長さ方向両端部には、雄ねじ部Ｃが周設されるとともに、軸体Ａにおける雄ねじ部Ｃの内側の形成端から所定長さ内方には環状の折取り溝Ｄとこの該折取り溝Ｄの外側に位置するストッパＥがそれぞれ形成され、前記した位置決め部材Ｂは、軸体Ａにおける雄ねじ部ＣとストッパＥとの間に介装されている（特許文献１参照）。
【０００５】
ところで、以上の型枠用セパレータは、各位置決め部材Ｂを型枠Ｆの内側面に当接させるとともに、型枠Ｆの外側に突出した軸体Ａの雄ねじ部Ｃに型枠締付け部材Ｇを螺締することにより、型枠Ｆの間隔を設定している。
【０００６】
また一方、固まったコンクリート製構造物から型枠を取り外す際には、軸体Ａの雄ねじ部Ｃを例えば上下方向に折り曲げることで、この雄ねじ部Ｃを軸体Ａの本体部分から切り離すようにしているが、以上のように、雄ねじ部Ｃを上下方向に折り曲げて切除するためには、碗状に形成される位置決め部材Ｂの内部空間に雄ねじ部Ｃの上下方向への揺動許容するための内部空間を必要とし、この雄ねじ部Ｃの上下方向への揺動範囲を大きく確保するためには、前記した内部空間を広くする必要がある。
【０００７】
しかしながら、位置決め部材Ｂの内部空間を大きく形成すると、この位置決め部材Ｂの取り外しによりコンクリート製構造物の外側面に生じる窪みもそれだけ大きくなり、そのため、この窪みを修復するための作業もそれだけ手間を要する不具合がある。
【先行技術文献】
【特許文献】
【０００８】
【特許文献１】実開平６−４２５８号公報
【発明の概要】
【発明が解決しようとする課題】
【０００９】
本発明は、以上の実情に鑑みて開発されたものであって、その目的とするところは、位置決め部材に上下方向への揺動を許容する内部空間を設けずとも、雄ねじ部分を軸本体から容易に切り離すことが出来る型枠用セパレータを提供することにある。
【課題を解決するための手段】
【００１０】
請求項１記載の発明は、軸本体の長さ方向両端に雄ねじ部を備えた軸体と、この軸体の長さ方向両端部にそれぞれ装着される位置決め部材とからなる型枠用セパレータであって、前記雄ねじ部の長さ方向一端部には、前記位置決め部材装填部と、軸本体に対する雄ねじ部の軸心を支点とする回転操作により雄ねじ部を軸本体から切り離すための捻じ切り溝が設けられるとともに、前記軸本体には、この軸本体の軸心を支点としてコンクリート製構造物内に埋設された軸本体の回転を阻止するための回転阻止手段が設けられていることを特徴とする。
【００１１】
請求項２に記載の発明は、請求項１に記載の型枠用セパレータにおいて、前記位置決め部材装填部に対する前記位置決め部材の装填位置を規制するための位置規制手段が設けられていることを特徴とする。
【００１２】
請求項３に記載の発明は、請求項１または２に記載の前記位置決め部材がモルタルを圧縮処理して形成されたブロック体から構成され、このブロック体には、前記軸体の挿通孔が設けられていることを特徴とする。
【００１３】
請求項４に記載の発明は、請求項１に記載の前記位置決め部材が、軸体が挿通可能な筒部と、この筒部の一端から径方向外方に突出するフランジ部とから構成され、前記筒部を前記軸体の前記装填部に固着していることを特徴とする。
【発明の効果】
【００１４】
請求項１に記載の発明によれば、型枠セパレータを用いてコンクリート製構造物を形成した後、雄ねじ部を工具によりその軸芯を支点にして回転させるだけで、雄ねじ部分を軸本体から切り離すことが出来るので、従来のように位置決め部材に上下方向への揺動を許容する内部空間を設けずとも雄ねじ部分を軸本体から容易に切り離すことが出来、従って完成したコンクリート製構造物の外側面に生じる窪みも小さく出来、それだけ、コンクリート製構造物の外側面の補修に手間を要しない。
【００１５】
請求項２に記載の発明よれば、請求項１に記載の発明の効果に加えて、位置規制手段により位置決め部材の装填位置が正確に規制されるので、一対の型枠間の間隔をよりいっそう確実に維持することが出来る。
【００１６】
請求項３に記載の発明によれば、請求項１または２に記載の発明の効果に加えて、位置決め部材がセメント材料を圧縮処理して形成されたブロック体から構成されていることから，完成したコンクリート製構造物にこのブロック体を埋め込まれたままにして、その一端がコンクリート製構造物の外面に露出しても違和感を与えることがないし、ブロック体がコンクリート製構造物と相性よく一体化するので、コンクリート製構造物の外面の強度も十分確保出来る。
【００１７】
請求項４に記載の発明によれば、請求項１に記載の発明の効果に加えて、コンクリート構造物の外側面に生じる位置規制手段の除去後の痕が非常に浅いものとなるので、この痕がコンクリート製構造物の外側面に露出しても違和感を与えることが少ない。
【図面の簡単な説明】
【００１８】
【図１】本発明にかかる型枠用セパレータの一実施形態を示す分解斜視図。
【図２】図１に示す型枠用セパレータを型枠間に組みつけた状態の説明図。
【図３】図１に示す型枠用セパレータの雄ねじ部を回転させる状態を示す要部の断面図。
【図４】図１に示す型枠用セパレータの雄ねじ部を取り外した状態を示す要部の断面図。
【図５】図１に示す型枠用セパレータにより完成したコンクリート構造物の要部の断面図。
【図６】本発明にかかる型枠用セパレータの第２の実施形態を示す一部省略正面図。
【図７】同、型枠用セパレータを構成する位置決め部材の斜視図。
【図８】図６に示す型枠用セパレータを型枠間に組みつけた状態の説明図。
【図９】図６に示す型枠用セパレータの雄ねじ部を回転させる状態を示す要部の断面図。
【図１０】図６に示す型枠用セパレータの雄ねじ部を取り外した状態を示す要部の断面図。
【図１１】図６に示す型枠用セパレータにより完成したコンクリート構造物の要部の断面図。
【図１２】本発明にかかる型枠用セパレータの第３の実施形態を示す一部省略正面図。
【図１３】図１２に示す型枠用セパレータの雄ねじ部を回転させて取り外した状態を示す要部の断面図。
【図１４】図１２に示す型枠用セパレータにより完成したコンクリート構造物の要部の断面図。
【図１５】従来の型枠用セパレータを示す一部省略正面図。
【発明を実施するための形態】
【００１９】
以下、本発明にかかる型枠用セパレータの一実施形態について詳細に説明する。
【００２０】
先ず図１は、本発明にかかる型枠用セパレータの一実施形態を示す分解斜視図、
図２は、図１に示す型枠用セパレータを型枠間に組みつけた状態の説明図、
図３は、図１に示す型枠用セパレータの雄ねじ部を回転させる状態を示す要部の断面図、
図４は、図１に示す型枠用セパレータの雄ねじ部を取り外した状態を示す要部の断面図、
図５は、図１に示す型枠用セパレータにより完成したコンクリート構造物の要部の断面図である。
【００２１】
以上の図１〜図５において、符号１で示す型枠用セパレータは、基本的には、軸体２と、この軸体２の長さ方向両端部にそれぞれ装着される位置決め部材３と、位置決め部材３が軸体２から抜け外れるのを防止するための抜け止め部材４とから構成される。
【００２２】
軸体２は、ロッド状の軸本体２１と、この軸本体２１の長さ方向両端から軸方向に一体に延設されている雄ねじ部２２とから成り、雄ねじ部２２の長さ方向一端部には、位置決め部材３及び抜け止め部材４の装填部２３と、この装填部２３よりも軸本体２１側に位置する捻じ切り溝２４が設けられている。
【００２３】
この捻じ切り溝２４は、断面Ｖ字状を呈し、軸本体２１の外周全周に形成され、軸本体２１に対する雄ねじ部２２の軸心を支点とする回転操作により捻じ切られて、雄ねじ部２２を軸本体２１から切り離せるようにしている。
【００２４】
また軸本体２１における捻じ切り溝２４よりも内方には、軸本体２１の軸心を支点としてコンクリート製構造物内に埋設された軸本体２１の回転を阻止するための回転阻止手段としての一対の回転阻止片２５が径方外方に向けて延設されている。
【００２５】
この回転阻止片２５は、特許請求範囲に記載の位置規制手段としての役割・機能をも兼ね備えている。
【００２６】
尚、位置規制手段を装填部２３に別途設けてもよい。
【００２７】
即ち、前記装填部２３に装填される位置決め部材３の軸方向一端を前記した回転阻止片２５の端縁で受け止めて、装填部２３に対する位置決め部材３の装填位置を所定位置に規制するようにしている。
【００２８】
位置決め部材３は、基本的にはモルタルを圧縮処理して形成された略円柱状のブロック体３１から構成され、このブロック体３１の軸芯部には、軸体２が挿通可能な貫通孔３２が開設されている。
【００２９】
この貫通孔３２の内径は、軸体２の外径よりもわずかに大きくしている。
【００３０】
またブロック体３１の軸方向一端面の中央には、金属から形成されたリング状の座金３３が埋設されている。
【００３１】
この座金３３は、回転阻止片２５への接触時に位置決め部材３が損傷するのを防止するためのものである。
【００３２】
抜け止め部材４は、プラスチック材料から円筒状に形成された抜け止め筒４１を備え、この抜け止め筒４１には、長さ方向全長に渡って延びるスリット４２が設けられるとともに、外周面には径方向外方に延びる一対の抜け止め片４３が一体に突設されている。
【００３３】
尚、この抜け止め部材４は、例えば金属製のバネ板から形成してもよい。
【００３４】
以上の構成から成る型枠用セパレータ１は、位置決め部材３を軸体２の長さ方向両端部にそれぞれ挿通した後、抜け止め部材４をさらに軸体２の長さ方向両端部に挿通して、これら位置決め部材3及び抜け止め部材４を軸体２の装填部２３に装填することで、位置決め部材３が軸体２から不用意に抜け外れるのを阻止しておく。
【００３５】
以上の型枠用セパレータ１を一対の型枠５ａ・５ｂ間にセッティングするには、図２に示すように、型枠５ａ・５ｂに設けられた貫通孔５１に軸体２の雄ねじ部２２を通して、雄ねじ部２２を型枠５ａ・５ｂ外に突出させるとともに、この雄ねじ部２２に型枠締付け体６を螺締すれば、位置決め部材３を構成するブロック体３１の軸方向一端が座金３３を介して回転阻止片２５の端縁で受け止められるとともに、ブロック体３１の軸方向他端面が型枠５の内側面に当接し、これに伴い、位置決め部材３の装填位置が所定位置に規制されて、型枠５ａ・５ｂの間隔が一定に保持されるのである。
【００３６】
一方、型枠５ａ・５ｂ間にコンクリート製構造物７が形成されたならば、先ず型枠締付け体６を雄ねじ部２２から取り外して、型枠５ａ・５ｂをコンクリート製構造物７から取り外す。
【００３７】
続いて雄ねじ部２２を挟持可能な挟持部が備えられた例えばスパナなどの工具を用い、この工具により、雄ねじ部２２を挟持してこの雄ねじ部２２をその軸芯を支点にして強制的に回転させるのであり、コンクリート製構造物７に埋設されている軸本体２１は、回転阻止片２５により回転不能であるので、雄ねじ部２２が装填部２３とともに軸本体２１に対してその軸芯を支点にして図３において矢印Ｘで示すように回転し、この雄ねじ部２２の回転により、捻じ切り溝２４部分で捻じ切られて、図４に示すように、雄ねじ部２２と装填部２３が軸本体２１から切り離されるのである。
【００３８】
ところで、型枠５ａ・５ｂの取り外しに伴い、ブロック体３１は、コンクリート製構造物７に埋め込まれたままとなるが、このブロック体７はモルタルを圧縮処理して形成されたものであることから、図５に示すようにその一端がコンクリート製構造物７の外面に露出しても違和感を与えることがないし、またブロック体３１がコンクリート製構造物７と相性よく一体化するので、コンクリート製構造物７の外面の強度も十分確保することが出来る。
【００３９】
尚、雄ねじ部２２及び装填部２３の取り外し後、ブロック体３１の貫通孔３２にモルタルボンドやコーキング剤を充填するか、あるいは図５に示すように、例えばプラスチック製の詰め栓Ｐを圧入して、貫通孔３２を埋めるのが好ましい。
【００４０】
次に本発明にかかる型枠用セパレータの第２の実施形態を図６〜図１１に基づいて説明する。
【００４１】
先ず図６は、本発明にかかる型枠用セパレータの第２の実施形態を示す正面図、
図７は、同、型枠用セパレータを構成する位置決め部材の斜視図、
図８は、図６に示す型枠用セパレータを型枠間に組みつけた状態の説明図、
図９は、図６に示す型枠用セパレータの雄ねじ部を回転させる状態を示す要部の断面図、
図１０は、図６に示す型枠用セパレータの雄ねじ部を取り外した状態を示す要部の断面図、
図１１は、図６に示す型枠用セパレータにより完成したコンクリート構造物の要部の断面図である。
【００４２】
以上の図６から図１１において符号１０で示す型枠用セパレータは、基本的には、軸体２０と、この軸体２０の長さ方向両端部にそれぞれ装着される位置決め部材３０とから構成される。
【００４３】
軸体２０は、ロッド状の軸本体２１０と、この軸本体２１０の長さ方向両端から軸方向に一体に延設されている雄ねじ部２２０とから成り、雄ねじ部２２０の長さ方向一端部には、位置決め部材３０の装填部２３０と、この装填部２３０よりも軸本体２１側に位置する捻じ切り溝２４０が設けられている。
【００４４】
この捻じ切り溝２４０は、断面Ｖ字状を呈し、軸本体２１０の外周全周に形成され、軸本体２１０に対する雄ねじ部２２０の軸心を支点とする回転操作により捻じ切られて、雄ねじ部２２０を軸本体２１０から切り離せるようにしている。
【００４５】
また軸本体２１０における捻じ切り溝２４０よりも内方には、軸本体２１０の軸心を支点としてコンクリート製構造物内に埋設された軸本体２１０の回転を阻止するための回転阻止手段としての回転阻止片２５０が径方外方に向けて延設されている。
【００４６】
また雄ねじ部２２０と装填部２３０の境界には、径方向外方に突出する一対の突片からなる回転操作部２６０が設けられている。
【００４７】
位置決め部材３０は、基本的には軸体２１０に挿通可能な筒状体３１０と、この筒状体３１０の一端外周から径方向外方に延びる円盤状の位置決めフランジ３２０とから構成されている。
【００４８】
そしてこの位置決め部材３０では、筒状体３１０に回転操作部２６０が通過可能なスリット３３０を、また位置決めフランジ３２０の内周縁には同じく回転操作部２６０が通過可能な凹溝３４０をそれぞれ形成している。
【００４９】
以上の構成から成る型枠用セパレータ１０は、位置決め部材３０を軸体２０の雄ねじ部２２０に挿通して、スリット３３０及び凹溝３４０を介して回転操作部２６０を通過させた後、位置決め部材３０の筒状体３１０を装填部２３０にスポット溶接して、位置決め部材３０を軸体２０の所定位置に固着している。
【００５０】
以上の型枠用セパレータ１０を一対の型枠５ａ・５ｂにセッティングするには、位置決め部材３０を構成する位置決めフランジ３２０の外側面を型枠５ａ・５ｂの内側面に当接させるとともに、型枠５ａ・５ｂに設けられた貫通孔５１に軸体２０の雄ねじ部２２０を通して、この雄ねじ部２２０を型枠５ａ・５ｂの外に突出させる。
【００５１】
そしてこの雄ねじ部２２０に型枠締付け体６を螺締すれば、位置決め部材３を介して型枠５ａ・５ｂの間隔を一定に保持することができる。
【００５２】
一方、型枠５ａ・５ｂ間にコンクリート製構造物７が形成されたならば、先ず型枠締付け体６を雄ねじ部２２０から取り外して、型枠５ａ・５ｂをコンクリート製構造物７から取り外した後、回転操作部２６０を挟持する挟持部を備えた工具を用い、この工具の挟持部で回転操作部２６０を挟持した状態から雄ねじ部２２０をその軸芯を支点にして回転させるのであり、コンクリート製構造物７に埋設されている軸本体２１０は、回転阻止片２５０により回転不能であるので、雄ねじ部２２０及び装填部２３０が位置決め部材３０とともにその軸芯を支点にして図９において矢印Ｘで示すように回転して、捻じ切り溝２４０部分で捻じ切られて、図１０に示すように、雄ねじ部２２0と装填部２３０が位置決め部材３０とともに軸本体２１０から切り離されるのである。
【００５３】
ところで、位置決め部材３０の取り外しによりコンクリート製構造物７の外側面には、位置決めフランジ３２０が抜け外れた円盤状の溝７１が生じるが、この溝７１は、図１１に示すように、円盤状の非常に浅いものであるので、この溝７１がコンクリート製構造物７の外側面に露出しても違和感を与えることが少ない。
【００５４】
尚、コンクリート製構造物７からの軸体２０の装填部２３０の取り外しによりコンクリート製構造物７に生じる小径の深穴７２には、モルタルボンドやコーキング剤を充填するか、あるいは、図１１に示すように、例えばプラスチック製の詰め栓Ｐを圧入して、この深穴７２を埋めるのが好ましい。
【００５５】
更に本発明にかかる型枠用セパレータの第３の実施形態を図１２〜図１４に基づいて説明する。
【００５６】
先ず図１２は、本発明にかかる型枠用セパレータの第３の実施形態を示す正面図、
図１３は、図１２に示す型枠用セパレータの雄ねじ部を回転させて取り外した状態を示す要部の断面図、図１４は、図１２に示す型枠用セパレータにより完成したコンクリート構造物の要部の断面図である。
【００５７】
以上の図１２から図１４において符号１００で示す型枠用セパレータは、基本的には、軸体２００と、この軸体２００の長さ方向両端部にそれぞれ装着される位置決め部材３００とから構成される。
【００５８】
軸体２００は、ロッド状の軸本体２１１と、この軸本体２１１の長さ方向両端から軸方向に一体に延設されている雄ねじ部２２１とから成り、雄ねじ部２１の長さ方向一端部には、位置決め部材３００の装填部２３１と、この装填部２３１よりも軸本体２１１側に位置する捻じ切り溝２４１と、この捻じ切り溝２４１に隣接する係合フランジ２４２が設けられている。
【００５９】
この捻じ切り溝２４１は、断面Ｖ字状を呈し、軸本体２１１の外周全周に形成され、軸本体２１１に対する雄ねじ部２２１の軸心を支点とする回転操作により捻じ切られて、雄ねじ部２２１を軸本体２１１から切り離せるようにしている。
【００６０】
また軸本体２１１における捻じ切り溝２４１よりも内方には、軸本体２１１の軸心を支点としてコンクリート製構造物内に埋設された軸本体２１１の回転を阻止するための回転阻止手段としての回転阻止片２５１が径方外方に向けて延設されている。
【００６１】
位置決め部材３００は、円錐台状の大径筒部３１１ａ及び小径筒部３１１ｂが同軸上に形成された段付きの筒状体３１１から構成されている。
【００６２】
この位置決め部材３００は、プラスチック材から形成され、前記した軸体２１１に挿通可能である。
【００６３】
以上の構成から成る型枠用セパレータ１００は、位置決め部材３００を軸体２００の雄ねじ部２２１に挿通して、軸体２００の装填部２３１に装填しておく。
【００６４】
そして、以上の型枠用セパレータ１００を一対の型枠５ａ・５ｂにセッティングするには、位置決め部材３００の外側面を型枠５ａ・５ｂの内側面に当接させるとともに、型枠５ａ・５ｂに設けられた貫通孔５１に軸体２０の雄ねじ部２２１を通して、この雄ねじ部２２１を型枠５ａ・５ｂの外に突出させ、この雄ねじ部２２１に型枠締付け体６を螺締する。
【００６５】
これにより、位置決め部材３００を構成する筒状体３１１の軸方向一端が係合フランジ２４２で受け止められるとともに、筒状体３１１の軸方向他端面が型枠５の内側面に当接し、これに伴い、位置決め部材３００の装填位置が所定位置に規制されて、型枠５ａ・５ｂの間隔が一定に保持される。
【００６６】
一方、型枠５ａ・５ｂ間にコンクリート製構造物７が形成されたならば、先ず型枠締付け体６を雄ねじ部２２１から取り外して、型枠５ａ・５ｂをコンクリート製構造物７から取り外す。
【００６７】
続いて、例えばスパナなどの工具により、雄ねじ部２２１を挟持してこの雄ねじ部２２１をその軸芯を支点にして強制的に回転させるのであり、コンクリート製構造物７に埋設されている軸本体２１１は、回転阻止片２５１により回転不能であるので、雄ねじ部２２１が装填部２３１とともに軸本体２１１に対しその軸芯を支点にして回転し、この雄ねじ部２２１の回転により、捻じ切り溝２４１部分で捻じ切られて、図１３に示すように、雄ねじ部２２１と装填部２３１が、位置決め部材３００とともに軸本体２１１から切り離されるのである。
【００６８】
ところで、位置決め部材３０の取り外しによりコンクリート製構造物７の外側面には、位置決め部材３００の抜け外れにより溝７１１が生じるが、この溝７１１は、モルタルボンドやコーキング剤を充填した上で、図１４に示すように、例えばコンクリート製の詰め栓Ｑを圧入して、溝７１１を埋めればよい。
【００６９】
以上の各実施形態では、回転阻止片２５・２５０を軸本体２１・２１０の長さ方向両端部に設けたが、長さ方向中間部に設けてもよい。
【符号の説明】
【００７０】
１・１０・１００      型枠用セパレータ
２・２０・２００      軸体
２２・２２０・２２１  雄ねじ部
２５・２５０・２５１  回転阻止片
２４・２４０・２４１  捻じ切り溝
３・３０・３００      位置決め部材
３２          貫通孔
４            抜け止め部材
５ａ・５ｂ    型枠
６            型枠締付け体
７            コンクリート製構造物
【図１】
2010163857.tif 000003
【図２】
2010163857.tif 000004
【図３】
2010163857.tif 000005
【図４】
2010163857.tif 000006
【図５】
2010163857.tif 000007
【図６】
2010163857.tif 000008
【図７】
2010163857.tif 000009
【図８】
2010163857.tif 000010
【図９】
2010163857.tif 000011
【図１０】
2010163857.tif 000012
【図１１】
2010163857.tif 000013
【図１２】
2010163857.tif 000014
【図１３】
2010163857.tif 000015
【図１４】
2010163857.tif 000016
【図１５】
2010163857.tif 000017